(57)【要約】【課題】耐久性に優れたヒンジ装置及びそれを用いた折畳式の携帯電話機を提供することを課題とする。【解決手段】携帯電話機の本体部１３と蓋体部１２とを回動可能に連結するヒンジ装置において、頭部が設けられた軸体８と、蓋体部の閉位置及び開位置において、ディスク部材との係合状態を維持し解除するカム部材からなるカム機構と、カム部材とディスク部材との係合状態を維持する付勢手段３と、左右に平行な壁面が形成された嵌合部が設けられ、上下は円弧からなる断面長円状の形状をなす筒部が形成され、この筒部の一端部に孔部が設けられた底部が形成され、本体部１３又は蓋体部１２の一方側の筒状部に嵌合部が嵌合固定されるケース７と、軸体の軸部端部に固定され基板から突出形成された複数の係止爪が設けられ、当該係止爪を本体部又は蓋体部の他方側の孔部に係止固定するフック１と、を有する構成である。【選択図】  図１
2006183870.tif 000002
【特許請求の範囲】
【請求項１】
携帯電話機の本体部と蓋体部とを回動可能に連結するヒンジ装置において、
軸部の一端部に拡径された頭部が設けられた軸体と、
この軸体の軸部に挿通されるディスク部材、及び上記蓋体部の閉位置及び開位置において、上記ディスク部材との係合状態が維持されて蓋体部を固定する一方、上記蓋体部の開閉操作による回動により上記係合状態が解除されるカム部材からなるカム機構と、
上記軸体に挿通され、上記カム部材が上記ディスク部材方向に圧着するように付勢して、上記ディスク部材との係合状態を維持する付勢手段と、
上記軸体とともに上記付勢手段を収納し、左右に平行な壁面が形成された嵌合部が設けられ、上下は円弧からなる断面長円状の形状をなす筒部が形成され、この筒部の一端部には上記軸体の軸部が挿通され上記頭部が係合する孔部が設けられた底部が形成され、上記本体部又は蓋体部の一方側の筒状部に上記嵌合部が嵌合固定されるケースと、
上記ケース、付勢手段及びカム機構を挿通した上記軸体の軸部端部に固定され、これら各部材を軸部の範囲内に拘束する基板、及びこの基板から突出形成された複数の係止爪が設けられ、当該係止爪を上記本体部又は蓋体部の他方側の孔部に係止固定するフックと、を有することを特徴とするヒンジ装置。
【請求項２】
上記ディスク部材に滑らかな壁面が形成された凹部又は凸部を設ける一方、
上記カム部材に凸部又は滑らかな壁面が形成された凹部を設けて凹凸の係合構造を形成し、上記蓋体部の開閉移動による回動にともない上記凸部が上記付勢手段に抗して上記凹部から脱出し、
上記蓋体部の開位置及び閉位置において上記凸部が上記凹部に係合して上記蓋体部が固定されることを特徴とする請求項１記載のヒンジ装置。
【請求項３】
上記凸部を、周方向の断面を台形状に形成し、かつ稜線は円板部の中心に向かうにつれて上面部が縮小する形状に形成したことを特徴とする請求項２に記載のヒンジ装置。
【請求項４】
上記軸体の頭部と軸部との間にこの軸部より径の大きな大径部を設け、上記ケースの底部と上記頭部との間にカバーの係着が可能な凹状の段差部を形成したことを特徴とする請求項１，２又は３記載のヒンジ装置。
【請求項５】
上記ケースと上記カム機構との間にクリアランスを設け、上記蓋体部の開閉時にメリハリ感を得るようにしたことを特徴とする請求項１乃至４の何れかに記載のヒンジ装置。
【請求項６】
送話部等を有する上記本体部又は受話部等を有する上記蓋体部の一方側の筒状部に上記ケースの嵌合部を嵌合固定させる一方、
他方側の孔部に上記フックを係止させる請求項１乃至請求項５の何れかに記載のヒンジ装置を用い、上記本体部と上記蓋体部とを回動可能に連結したことを特徴とする携帯電話機。
【発明の詳細な説明】
【技術分野】
【０００１】
本発明は、ヒンジ装置及びそれを用いた折畳式の携帯電話機に関する。
【背景技術】
【０００２】
近年、携帯機器等に、使用時には操作部或いは表示部としての十分な広さが確保され、未使用時には折り畳んで携帯に便利な折畳式の携帯機器が普及している。この折畳式の携帯電話機は、送話部としての本体と受話部として蓋体とをヒンジ装置で開閉自在に連結したものである。
【０００３】
携帯電話機の本体Ａとカバー（蓋体）Ｂとの間に用いられるヒンジ装置として、例えば図１６に示すものが開示されている(特開２００１−１５２７２８６)。このヒンジ装置８０は、一のヒンジ部材８１と、このヒンジ部材８１に連結軸８２を介して回動可能に連結された他のヒンジ部材８３とを有している。
【０００４】
上記一のヒンジ部材８１は円筒形をなし、連結軸８２の回動軸部は一のヒンジ部材８１に回動可能に挿入されて、その先端部はヒンジ部材８１を貫通して、他のヒンジ部材８３が嵌合固定されている。一のヒンジ部材８１の内部には、可動部材８４が配置され、この可動部材８４の両側部にはガイド部が形成されている。
【０００５】
一方、他のヒンジ部材８３は、ヒンジ部材８１側の当接部材８５と逆側の支持部材８６とから構成されている。上記可動部材８４は、コイルばね８７によって当接部材８５側に付勢されており、当接部材８５と対向する端面には、一対の押圧突起８８が形成され、上記可動部材８４と当接部材８５との間でカム機構が形成されている。これにより、一のヒンジ部材８１と他のヒンジ部材８３との間で回動が可能となり、本体ＡとカバーＢとを回動可能に連結するヒンジ機構を構成する。
【発明の開示】
【発明が解決しようとする課題】
【０００６】
さて、上記ヒンジ装置では、可動部材８４と当接部材８５との間、即ち一のヒンジ部材８１と他のヒンジ部材８３との間は、カム機構として両者は摺動移動し相対的な回動運動を行なう。また通常、両者間には潤滑材が充填され回動を円滑にしている。
【０００７】
しかしながら、上記一のヒンジ部材８１と他のヒンジ部材８３との間は、外部に露出した状態に配置されており、携帯機器の使用環境の影響を受けやすく塵埃等が付着し易い。このため、時間とともに塵埃の量が増えて、カム機構の滑らかさが失われ、加えて耐久性が損なわれるという問題がある。
【０００８】
本発明は、上記問題点に鑑みてなされたものであり、耐久性に優れたヒンジ装置及びそれを用いた携帯電話機を提供することを目的とする。
【課題を解決するための手段】
【０００９】
以上の技術的課題を解決するため、本発明は図１又は図１０に示すように、本体部１３と蓋体部１２とを回動可能に連結するヒンジ装置において、一端に底部が形成される筒状のケース７，６６と、このケース内の底部に収納され、このケースと一体に回動するディスク部材６，６５と、上記ケース内に収納され、上記蓋体部１２の閉位置及び開位置において、上記ディスク部材との係合状態が維持されて蓋体部１２を固定する一方、上記蓋体部１２の開閉操作による回動により上記係合状態が解除されるカム部材４，６４と、一端部で上記カム部材を上記ディスク部材方向に押圧して、上記ディスク部材との係合状態を維持する付勢手段３，６３と、この付勢手段の他端部の軸方向移動を阻止するとともに、上記カム部材と一体に回動するストッパ２，６２と、を有する構成である。
【００１０】
また、本発明に係るヒンジ装置は図１に示すように、上記ディスク部材６に球体５の一部を回転自在に収納保持する一方、上記カム部材４に滑らかな壁面が形成された一対の窪み３８を設け、上記蓋体部１２の開閉移動による回動にともない上記球体５が上記付勢手段３に抗して上記窪み３８から脱出し、上記蓋体部１２の開位置及び閉位置において上記球体５が上記窪み３８に係合して上記蓋体部１２が固定される構成である。
【００１１】
また、本発明に係るヒンジ装置は図１０に示すように、上記ディスク部材６５に滑らかな壁面が形成された凹部又は凸部を設ける一方、上記カム部材６４に凸部又は滑らかな壁面が形成された凹部を設けて凹凸の係合構造を形成し、上記蓋体部１２の開閉移動による回動にともない上記凸部が上記付勢手段６３に抗して上記凹部から脱出し、上記蓋体部１２の開位置及び閉位置において上記凸部が上記凹部に係合して上記蓋体部１２が固定される構成である。
【００１２】
また、本発明に係るヒンジ装置は、軸部の一部を、上記ケース７，６６の底部の中心部及び上記ディスク部材６，６５の中心部にそれぞれ設けられた孔部に回転自在に挿通させる一方、軸部の他の一部を、上記カム部材４，６４の中心部及びストッパ２，６２の中心部にそれぞれ設けられた嵌合孔と嵌合させてカム部材及びストッパとは一体的に回動可能な軸体８，６７を有する構成である。
【００１３】
本発明に係る携帯電話機は、上記ストッパ２，６２と一体に回動するフック１，６１を設け、送話部等を有する上記本体部１３又は受話部等を有する上記蓋体部１２の一方側に上記ケース７，６６を固定させる一方、他方側に上記フックを係止させる上記の何れかに記載のヒンジ装置を用い、上記本体部１３と上記蓋体部１２とを回動可能に連結した構成である。
【発明の効果】
【００１４】
本発明に係るヒンジ装置によれば、ケース内の底部に収納されるディスク部材と、このディスク部材との係合状態が維持されて蓋体部を固定し、開閉操作により係合状態が解除されるカム部材と、係合状態を維持する付勢手段と、この付勢手段の移動を阻止するストッパと、を有する構成を採用したから、塵の侵入が防止されてカム機構の円滑な動作が維持され、併せてカム機構の耐久性が高められ、またカム機構はケース内に収納されているので、カム機構に充填される潤滑材の洩れが防止され本体部及び蓋体部を汚すこともないという効果を奏する。
【００１５】
また、本発明に係るヒンジ装置によれば、ディスク部材に球体を収納保持する一方、カム部材に窪みを設け、蓋体部の開位置及び閉位置において球体が窪みに係合して蓋体部が固定される構成を採用したから、上記効果に加えてカム機構が円滑に作動するという効果がある。
【００１６】
また、本発明に係るヒンジ装置によれば、ディスク部材に凹部又は凸部を設ける一方、カム部材に凸部又は凹部を設けて凹凸の係合構造を形成し、蓋体部の開位置及び閉位置において凸部が凹部に係合して蓋体部が固定される構成を採用したから、上記効果に加えてカム機構がコンパクトに構成でき装置の小型化が図れるという効果がある。
【００１７】
本発明に係る携帯電話機によれば、ストッパと一体に回動するフックを設け、本体部又は蓋体部の一方側にケースを固定させる一方、他方側にフックを係止させ本体部と蓋体部とを回動可能に連結した構成を採用したから、塵の侵入が防止されてカム機構の円滑な動作が維持され、併せてカム機構の耐久性が高められ、またカム機構はケース内に収納されているので、カム機構に充填される潤滑材の洩れが防止され携帯電話機を汚すこともないという効果を奏する。
【発明を実施するための最良の形態】
【００１８】
以下、本発明の実施の形態を図面に基づいて説明する。
図１は、第一の実施の形態に係り、折畳式の携帯電話機等の携帯機器に用いられるヒンジ装置１１の分解斜視図を示したものである。このヒンジ装置１１の外観形状は、図２に示すように、フック１、ストッパ２、ケース７及びカバー９で構成され、他の部材はケース７の内部に収納されている。
【００１９】
折畳式の携帯電話機は、図３に示すように表示画面等が設けられた受話部からなる蓋体部１２と、操作キー等が設けられた送話部からなる本体部１３とを有し、ヒンジ装置１１のストッパ２を蓋体部１２に設けた筒状部に係止するとともに、ヒンジ装置１１のケース７を本体部１３に設けた筒状部に嵌め込んで固定し、本体部１３と蓋体部１２とを開閉自在に連結する。
【００２０】
上記ヒンジ装置１１は、フック１、ストッパ２、コイルバネ３、カム部材４、二個の球体５、ディスク部材６、ケース７、軸体８及びカバー９を構成部材としている。これら部材の内、主にカム部材４、球体５及びディスク部材６によってカム機構が構成される。
【００２１】
上記フック１及びカバー９はＡＢＳ等の合成樹脂製、軸体８はアルミニウム製又は鋼材等の金属製、コイルバネ３は鋼材からなる。上記ストッパ２、カム部材４、球体５、ディスク部材６及びケース７は鋼材又はステンレス鋼などの金属製からなる。また、ストッパ２、カム部材４、ディスク部材６、ケース７及び軸体８には無電解Ｎｉメッキ又はＮｉメッキ等の表面処理を行うのが望ましい。
【００２２】
ここで各構成部材について説明する。上記フック１は、図４に示すように、基板２１から外向きに４本の係止爪２０が形成され、基板２１の中心部には四角の角孔２２が設けられている。また、基板２１外面の左右部位には嵌合溝部２４が設けられている。ストッパ２は図１に示すように、円板状の基部の中心部に四角の角孔２６が設けられ、基部の左右部位にそれぞれ嵌合溝部２８が設けられている。コイルバネ３は圧縮ばねであり、カム部材４を付勢する。
【００２３】
カム部材４は図５に示すように、中空の円板部３０の中央部から、貫通孔３２が設けられた軸部３４が突出形成された部材である。この貫通孔３２は、円板部３０から連続的かつ同形状に形成され、孔の形状は上下部が平行で左右部が円弧からなる長円状をなしている。また、上記円板部３０の外面部には環状に浅い溝状の案内路３６が形成され、この案内路３６の上下の部位には凹面部３８が形成されている。この凹面部３８は、球面の一部をなす浅い球状穴であり、この球面の半径は図５（ｂ）のＣＣ線断面の半径よりもＤＤ線断面の半径が大きく形成されている。この凹面部３８の球状壁面に上記球体５が進入することで、球体５の移動速度が付勢される。
【００２４】
図６はディスク部材６を示したものであり、このディスク部材６の外形は、左右には平行な部位である平坦部４１が形成され、上下は円弧部からなる長円状の板体であり、中心部には円形の孔４０が設けられている。ディスク部材６の一方の面には、同一円周上の上下の各部位に半球状の深い穴部４２が形成されている。これらの穴部４２には、それぞれ球体５の約半分以上が収納された状態で回転自在に保持されている。
【００２５】
ケース７は図７に示すように、一端側には中心部に貫通孔４４が設けられた底部４６が形成され、他端側は開放口４５が形成された筒状の容器である。ケース７の筒部４７は、左右に平行な壁面が形成され、上下は円弧からなる断面が長円状の形状をなしている。上記平行な壁面は嵌合部４８として、携帯電話機の本体部１３に設けた筒状部と嵌合する。このケース７内には、上記ディスク部材６、球体５、カム部材４及びコイルバネ３を収納する。
【００２６】
軸体８は図８に示すように、円板状の頭部５０と軸部５２からなる。この軸部５２の先端部には断面が四角形状の角軸部５４が、軸部５２の中間部には断面が長円状の部位５６が、また軸部５２の頭部５０寄りの部位には断面が円形状の円柱部５８がそれぞれ形成されている。
【００２７】
上記ヒンジ装置１１は図９に示すように、ケース７に、奥から球体５を嵌め込んだディスク部材６、カム部材４及びコイルバネ３が収納されている。そして、カム部材４の軸部３４の外周にコイルバネ３を嵌め、このコイルバネ３の一端部をカム部材４の円板部３０に当接させ、コイルバネ３の他端部をストッパ２に当て、このストッパ２をケース７の開放口４５の外側に配置する。
【００２８】
そして、ケース７の底部４６の貫通孔４４から軸体８の軸部５２を挿入し、ディスク部材６、カム部材４、コイルバネ３及びストッパ２を挿通させ、さらに軸部５２の先端部にフック１を嵌め込み、最後にフック１から突出した軸部５２の先端部をかしめてヒンジ装置を組み立てる。
【００２９】
この状態で、ケース７内にディスク部材６、球体５、カム部材４及びコイルバネ３が収納される一方、ストッパ２でケース７の開放口４５が閉じられる。このとき、軸体８の長円状の部位５６にはカム部材４の長円状の貫通孔３２が嵌合され、軸体８の角軸部５４には、ストッパ２の角孔２６及びフック１の角孔２２がともに嵌合される。
【００３０】
これにより、カム部材４、ストッパ２及びフック１は軸体８と一体回動し、カム部材４が回動すれば軸体８が回動し、さらにストッパ２及びフック１が回動する。一方、軸体８の円柱部５８には、ケース７の貫通孔４４及びディスク部材６の孔４０が挿通している。このため、ケース７及びディスク部材６は、軸体８の回動に対してフリーであり、ディスク部材６はケース７に内嵌されているのでディスク部材６とケース７とは一体に回動する。
【００３１】
また、コイルバネ３により、カム部材４は常にディスク部材６方向に付勢され、カム部材４とディスク部材６との間には球体５を介したカム機構が形成される。したがってこのヒンジ装置は、上記カム機構を介して、ケース７に対してストッパ２及びフック１が回動するヒンジ機構を構成する。
【００３２】
このヒンジ装置を、図３に示す携帯電話機に取り付ける場合には、携帯電話機の蓋体部１２に設けたヒンジ装着用の孔部にヒンジ装置１１のフック１の係止爪２０を係止させ、併せてストッパ２を嵌合固定する一方、本体部１３に設けたヒンジ装着用の筒状部にヒンジ装置のケース７の嵌合部４８を嵌合固定させる。
【００３３】
上記ヒンジ装置を装着した携帯電話機は、蓋体部１２を手で開くと、上記カム機構が作動する。このときストッパ２（フック１）とともにカム部材４が回動し、カム部材４の凹面部３８はディスク部材６に保持される球体５との係合から抜け出し、カム部材４の回動とともに球体５はカム部材４の案内路３６を転がり、上記凹面部３８は他の球体５の方向に移動する。やがて、蓋体部１２の展開が終了するとき、上記凹面部３８は他の球体５に係合する。
【００３４】
このような、ディスク部材６とカム部材４との間のカム動作は、ケース７の内部の奥で行われる。このカム機構の箇所に潤滑材を充填することで、よりカム機構の動作が滑らかになる。また係合の際、コイルバネ３の付勢力により、球体５の凹面部３８への進入に勢いが付加されてクリック感が得られる。このクリック感は蓋体部１２の回動が終了する時に得られ、蓋体部１２の開閉にメリハリ感を与える。
【００３５】
蓋体部１２の閉操作時には、蓋体部１２の閉移動とともにカム部材４は回動し、凹面部３８は他の球体５の係合から抜け出し元の球体５の方向に移動する。上記凹面部３８が元の球体５に係合するとき上記開時と同様に勢いが増し、クリック感とともに蓋体部１２が閉塞する。なお、ケース７とディスク部材６との間にクリアランスを設け、ディスク部材６をケース７内に遊嵌するように構成すれば、蓋体部１２の開閉時にカム部材音が発生して蓋体部１２の開閉にいっそうのメリハリ感を与える。
【００３６】
従って上記実施の形態に係るヒンジ装置１１を用いた携帯電話機によれば、カム機構としてのカム部材とディスク部材をケースの奥に配置したから、塵の侵入が防止されてカム機構の円滑な動作が維持され、併せてカム機構の耐久性が高められる。また、カム機構はケース７内に収納されているので、カム機構に充填される潤滑材が良好に保持されるとともに潤滑材の洩れが防止され、携帯電話機を汚すこともない。さらに塵の影響を受けないことから、蓋体部１２の開閉時におけるクリック感が長期にわたって良好に持続される。
【００３７】
図１０は、第二の実施の形態に係るヒンジ装置を示したものである。このヒンジ装置１５は、上記第一の形態に係るヒンジ装置１１と同様、図３に示す折畳式の携帯電話機等の携帯機器に用いられる。このヒンジ装置１５は小型化のため、上記ヒンジ装置１１に係る球体５を用いないカム機構を構成した点が異なる。
【００３８】
このヒンジ装置１５の外観形状は図１１に示すように、上記ヒンジ装置１１と同様、フック６１、ストッパ６２、ケース６６及びカバー６８で形成され、他の部材はケース６６内に収納されている。このヒンジ装置１５は構成部材として、フック６１、ストッパ６２、コイルバネ６３、カム部材６４、ディスク部材部材６５、ケース６６、軸体６７及びカバー６８を有している。これら部材の内、主にカム部材６４及びディスク部材部材６５によってカム機構が構成される。
【００３９】
このヒンジ装置１５の構成部材のうち、フック６１、ストッパ６２、コイルバネ６３及び軸体６７はそれぞれ、上記ヒンジ装置１１に係るフック１、ストッパ２、コイルバネ３及び軸体８とは基本的構造は同じであるのでここでの説明は省略する。
【００４０】
上記カム部材６４は図１２に示すように、中空の円板部７０の中央部から、貫通孔７２が設けられた軸部７４が突出形成された部材である。この貫通孔７２は、円板部７０から連続的かつ同形状に形成され、孔の形状は上下部が平行で左右部が円弧からなる長円状をなしている。また、上記円板部７０には貫通孔７２を挟んだ左右の部位に係合凸部７６が形成されている。この係合凸部７６は、左右の側面７５が傾斜した台形状の凸部であり、稜線は円板部７０の中心向に形成され、中心に向うにつれて上面部が縮小する形状である。
【００４１】
図１３はディスク部材６５を示したものであり、このディスク部材６５は中心部に円形の孔７８が設けられ、かつ周囲の一部に外向きの突出部７９が形成された板状体である。ディスク部材６５には、孔７８を挟んだ左右の部位に係合凹部８０が設けられ、係合凹部８０間には環状に平坦な案内路８１が形成されている。この係合凹部８０の両側面は、すり鉢状に傾斜したテーパ面８２を形成している。このディスク部材６５の係合凹部８０には、上記カム部材６４の係合凸部７６が嵌り込んで係合する。
【００４２】
ケース６６は図１４に示すように、一端側には中心部に貫通孔８２が設けられた底部８４が形成され、他端側は開放口８７が形成された筒状の容器である。ケース６６の筒部８５には、一部に外向きの突出部８６が形成された形状である。この突出部８６は筒面が平坦であり、携帯電話機の本体部１３に設けた筒状部と嵌合する。このケース６６内には、上記ディスク部材６５、カム部材６４及びコイルバネ６３を収納する。
【００４３】
上記ヒンジ装置１５は図１５に示すように、ケース６６内に、奥からディスク部材６５及びカム部材６４が収納される。そして、カム部材６４の軸部７４の外周にコイルバネ６３を嵌め、このコイルバネ６３の一端部をカム部材６４の円板部７０に当接させる。一方、コイルバネ６３の他端部をストッパ６２に当て、このストッパ６２をケース６６の開放口８７の外側に配置する。
【００４４】
そして、ケース６６の底部８４の貫通孔８２から軸体６７の軸部５２を挿入し、ディスク部材６５、カム部材６４、コイルバネ６３及びストッパ６２を挿通させ、さらに軸部５２の先端部にフック６１を嵌め込み、最後にフック６１から突出した軸部５２の先端部をかしめてヒンジ装置を組み立てる。
【００４５】
この状態で、ケース６６内にディスク部材６５、カム部材６４及びコイルバネ６３が収納される一方、ストッパ６２でケース６６の開放口８７を閉じる。このとき、軸体６７の長円状の部位５６にはカム部材６４の長円状の貫通孔７２が嵌合され、軸体６７の角軸部５４には、ストッパ６２の角孔２６及びフック６１の角孔２２がともに嵌合される。
【００４６】
これにより、カム部材６４、ストッパ６２及びフック６１は軸体６７と一体に回動し、カム部材６４が回動すれば軸体６７が回動し、さらにストッパ６２及びフック６１が回動する。一方、軸体６７の円柱部５８には、ケース６６の貫通孔６４及びディスク部材６５の孔７８が挿通している。このため、ケース６６及びディスク部材６４は、軸体６７の回動に対してフリーであり、ディスク部材６４はケース６６に内嵌されているので、ディスク部材６４とケース６６とは一体に回動する。
【００４７】
また、コイルバネ６３により、カム部材６４は常にディスク部材６４方向に付勢され、カム部材６４とディスク部材６４とでカム機構が形成される。したがってこのヒンジ装置は、上記カム機構を介して、ケース６６に対してストッパ６２及びフック６１が回動するヒンジ機構を構成する。このヒンジ装置１５を、上記ヒンジ装置１１と同様に図３に示す携帯電話機等に取り付けて使用する。
【００４８】
上記ヒンジ装置を装着した携帯電話機は、蓋体部１２を手で開くと、上記カム機構が作動する。このときストッパ６２（フック６１）とともにカム部材６４が回動し、カム部材６４の係合凸部７６はディスク部材６５の係合凹部８０の係合から抜け出し、ディスク部材６５の案内路８１を摺動移動して他の係合凹部８０に向けて移動する。やがて、蓋体部１２の展開が終了するとき、カム部材６４の係合凸部７６は他の係合凹部８０に係合する。
【００４９】
このような、ディスク部材６５とカム部材６４との間のカム動作は、ケース６６の内部の奥で行われる。このカム機構の箇所に潤滑材を充填することで、よりカム機構の動作が滑らかになる。また係合の際、コイルバネ６３の付勢力により、カム部材６４の係合凸部７６が係合凹部８０のテーパ面８２を滑り落ち、このとき係合に勢いが付加されてクリック感が得られる。このクリック感は、蓋体部１２の回動が終了する時に得られ、蓋体部１２の開閉にメリハリ感を与える。
【００５０】
蓋体部１２の閉操作時には、蓋体部１２の閉移動とともにカム部材６４は回動し、係合凸部７６はディスク部材６５の係合凹部８０の係合から抜け出し元の係合凹部８０の方向に移動する。上記係合凸部７６が元の係合凹部８０に係合するとき上記開時と同様に勢いが増し、クリック感とともに蓋体部１２が閉塞する。なお、ケース６６とディスク部材６５との間にクリアランスを設け、ディスク部材６５をケース６６内に遊嵌するように構成すれば、蓋体部１２の開閉時にカム部材音が発生して開閉にいっそうのメリハリ感を得える。
【００５１】
従って上記第二の実施の形態に係るヒンジ装置１５を用いた携帯電話機によれば、カム機構としてのディスク部材とカム部材とをケースの奥に配置したから、塵の侵入が防止されてカム機構の円滑な動作が維持され、併せてカム機構の耐久性が高められる。また、カム機構はケース内に収納されているので、カム機構に充填される潤滑材の洩れが防止され、携帯電話機を汚すこともない。さらに塵が付着しないことから、蓋体部１２の開閉時にはクリック感が長期にわたって良好に維持される。
【図面の簡単な説明】
【００５２】
【図１】本発明の第一の実施の形態に係るヒンジ装置の分解斜視図を示す図である。
【図２】第一の実施の形態に係るヒンジ装置の外観を示すもので、（ａ）は正面を、（ｂ）は右側面を示す図である。
【図３】実施の形態に係るヒンジ装置を用いた携帯電話機を示す略図である。
【図４】ヒンジ装置のフックにつき、（ａ）は正面を、（ｂ）は右側面を、（ｃ）は左側面を、（ｄ）はＡ−Ａ線断面を示す図である。
【図５】ヒンジ装置のカム部材につき、（ａ）は正面を、（ｂ）は左側面を、（ｃ）は右側面を、（ｄ）はＢ−Ｂ線断面を、（ｅ）はＣ−Ｃ線断面を、（ｆ）はＤ−Ｄ線断面を示す図である。
【図６】ヒンジ装置のディスク部材につき、（ａ）は右側面を、（ｂ）は正面を、（ｃ）は左側面を、（ｄ）はＥ−Ｅ線断面を示す図である。
【図７】ヒンジ装置のケースにつき、（ａ）は正面を、（ｂ）は右側面を、（ｃ）はＦ−Ｆ線断面を示す図である。
【図８】ヒンジ装置の軸体につき、（ａ）は正面を、（ｂ）はＧ−Ｇ線断面を、（ｃ）は平面を、（ｄ）は右側面を示す図である。
【図９】第一の実施の形態に係り、ヒンジ装置の断面を示す図である。
【図１０】本発明の第二の実施の形態に係るヒンジ装置の分解斜視図を示す図である。
【図１１】第二の実施の形態に係るヒンジ装置の外観を示すもので、（ａ）は正面を、（ｂ）は右側面を示す図である。
【図１２】ヒンジ装置のカム部材につき、（ａ）は正面を、（ｂ）は左側面を、（ｃ）は右側面を、（ｄ）はＨ−Ｈ線断面を、（ｅ）はＩ−Ｉ線断面を示す図である。
【図１３】ヒンジ装置のディスク部材につき、（ａ）は右側面を、（ｂ）はＪ−Ｊ線断面を、（ｃ）はＫ−Ｋ線断面を示す図である。
【図１４】ヒンジ装置のケースにつき、（ａ）は左側面を、（ｂ）は右側面を、（ｃ）はＬ−Ｌ線断面を示す図である。
【図１５】第二の実施の形態に係り、ヒンジ装置の断面を示す図である。
【図１６】従来例に係るヒンジ装置の、（ａ）は正面を、（ｂ）は断面を示す図である。
【符号の説明】
【００５３】
１，６１  フック
２，６２  ストッパ
３，６３  付勢手段（コイルバネ）
４，６４  カム部材
５  球体
６，６５  ディスク部材
７，６６  ケース
８，６７  軸体
１２  蓋体部
１３  本体部
【図１】
2006183870.tif 000003
【図２】
2006183870.tif 000004
【図３】
2006183870.tif 000005
【図４】
2006183870.tif 000006
【図５】
2006183870.tif 000007
【図６】
2006183870.tif 000008
【図７】
2006183870.tif 000009
【図８】
2006183870.tif 000010
【図９】
2006183870.tif 000011
【図１０】
2006183870.tif 000012
【図１１】
2006183870.tif 000013
【図１２】
2006183870.tif 000014
【図１３】
2006183870.tif 000015
【図１４】
2006183870.tif 000016
【図１５】
2006183870.tif 000017
【図１６】
2006183870.tif 000018